(57)【要約】【課題】本発明はライト装飾用水晶玉を開示した。【解決手段】台座と支持柱とを含み、前記支持柱の上端には支持ブロックが設けられ、前記支持ブロックの中には伝動チャンバが設けられ、前記支持ブロックの右端の下側には細紐で繋ぎ合わせられた水晶玉が八連設けられ、前記伝動チャンバの中には前記水晶玉の移動や昇降を制御できる回転機構が設けられ、前記伝動チャンバの中には装置全体の作動に動力を提供する伝動機構が設けられ、前記回転機構は前記伝動チャンバの右端壁に固定された固定板を含み、前記固定板の中には下方に開口した環状チャンバが設けられ、前記環状チャンバの左右端壁にはいずれも固定ブロックが固定され、前記環状チャンバの中には従動ブロックも六個スライドできるように連結され、二個の前記従動ブロックの間が従動バネによって連結されている。【選択図】図１
2020184509.tif 000002
【特許請求の範囲】
【請求項１】
正面視で、台座と支持柱とを含み、前記支持柱の上端には支持ブロックが設けられ、前記支持ブロックの中には伝動チャンバが設けられ、前記支持ブロックの右端の下側には細紐で繋ぎ合わせられた水晶玉が八連設けられ、前記伝動チャンバの中には前記水晶玉の移動や昇降を制御できる回転機構が設けられ、前記伝動チャンバの中には装置全体の作動に動力を提供する伝動機構が設けられ、前記回転機構は前記伝動チャンバの右端壁に固定された固定板を含み、前記固定板の中には下方に開口した環状チャンバが設けられ、前記環状チャンバの左右端壁にはいずれも固定ブロックが固定され、前記環状チャンバの中には従動ブロックも六個スライドできるように連結され、二個の前記従動ブロックの間が従動バネによって連結され、前記従動ブロックと前記固定ブロックとの間が伸縮バネによって連結され、前記伝動チャンバの下端壁の中には前記伝動チャンバの下端壁を貫通した弓形溝が二つ設けられ、前記従動ブロックの下端には下端が前記弓形溝を貫通した連結ロッドが設けられ、前記連結ロッドが外部空間に位置しており、前記支持ブロックの右端下端面にも二本の前記連結ロッドが固定され、前記連結ロッドの下端にはいずれも一端が前記細紐の一端と固定的に連結された連結ブロックが固定的に設けられ、前記支持ブロックの下側には八個の前記連結ブロックに支持されたランプシェードが設けられ、前記伝動チャンバの前後端壁の中にはいずれも前記伝動チャンバと連通した弓形チャンバが二つ設けられ、前記弓形チャンバの中にはスライド可能なスライド板と前記スライド板を復帰させることができるスライドバネとが設けられ、前記スライド板の一端にはチェーンが固定的に連結され、前記スライド板のもう一端にはロープが固定され、前記固定板の下端面には回転軸が固定され、前記回転軸には回転ロッドが二本回転できるように連結され、前記回転ロッドが回転するときに前記連結ロッドを移動させることができ、前記回転ロッドの一端の中には前記回転軸に貫通された回転溝が設けられ、前記回転溝の中には前記回転軸と回転できるように連結された従動ロッドが設けられ、前記従動ロッドの一端が回転する時に前記連結ロッドを移動させることができ、前記従動ロッドの一端と前記回転ロッドの一端との間には連結バネが固定され、同じ水平面に位置している二本の前記チェーンの一端がそれぞれ前記従動ロッドと前記回転ロッドと連結され、前記伝動チャンバの後端壁の中には前方に開口したスライド溝も設けられ、前記伝動チャンバの中には二個の伝動ブロックも設けられ、一個の前記伝動ブロックの左端には伝動ロッドが固定され、前記伝動機構はモーターと伝動軸とを含み、前記伝動軸が前記モーターと伝動できるように連結され、前記伝動軸の右端には伝動板がねじ山によって連結され、前記伝動板の中には下方に開口した貫通チャンバが設けられ、前記貫通チャンバの左右端壁が前記伝動チャンバに連通しており、前記貫通チャンバの前後端壁の中にはいずれも電磁チャンバが設けられ、前記電磁チャンバの中には一端が前記貫通チャンバの中に位置することができる挟みブロックが設けられ、前記挟みブロックの上端面には磁石ブロックが設けられ、前記電磁チャンバの中には前記挟みブロックに貫通された電磁板と磁石板とも設けられ、前記磁石板はスライド可能であり、前記電磁板が前記電磁チャンバの中に固定され、前記伝動チャンバの下端壁には前記貫通チャンバの中に位置した位置制限ブロックが固定され、前記位置制限ブロックの左右両側には移動板が二つ設けられ、前記移動板は前記挟みブロックに挟まれて移動連動されることができ、左側の前記移動板の左端面が下側の二本の前記ロープの一端と連結され、右側の前記移動板の右端面が上側の二本の前記ロープの一端と連結されていることを特徴とするライト装飾用水晶玉。
【請求項２】
前記回転機構は前記伝動ブロックを貫通した貫通孔も含み、一個の前記伝動ブロックの後端は前記スライド溝の中でスライドすることができ、一個の前記伝動ブロックの後端が前記伝動チャンバの後端壁に固定され、全部の前記細紐の一端が前記伝動チャンバの下端壁と二つの前記貫通孔とを貫通しており、且つ前記伝動チャンバの上端壁と固定的に連結され、前記支持ブロックの右端には前記ランプシェードの中に位置した電球が設けられていることを特徴とする請求項１に記載のライト装飾用水晶玉。
【請求項３】
前記伝動機構は前記伝動ロッドの左端に貫通された挟みチャンバも含み、前記磁石板の上端には一端が前記挟みチャンバの中に位置した挟みロッドが固定され、二本の前記挟みロッドは前記伝動ロッドをきつく挟むことができ、二つの前記移動板の間が移動バネによって連結されていることを特徴とする請求項１に記載のライト装飾用水晶玉。
【発明の詳細な説明】
【技術分野】
【０００１】
本発明は装飾品分野を取り上げて、具体的にはライト装飾用水晶玉である。
【背景技術】
【０００２】
現段階では、一部のライト装飾用水晶玉はライトの傘部分の下側に掛けられ、光と影の効果を生み出し、室内で良い雰囲気を醸し出し、しかしこういうライト装飾用水晶玉はほとんどライトの傘部分の下方に固定され、一種類の光と影の効果しか生み出すことができなく、時間が経つと、使用者が飽きやすく、また使用者がライトの光で読書するとき、ライト装飾用水晶玉の生み出した光と影の効果が読書に影響しやすい。
【先行技術文献】
【特許文献】
【０００３】
【特許文献１】中国特許出願公開第１０８５９１８９７号明細書
【発明の概要】
【発明が解決しようとする課題】
【０００４】
本発明の目的はライト装飾用水晶玉を提供し、それは上記の現在の技術中の問題を解決できる。
【課題を解決するための手段】
【０００５】
上記の課題を解決するため、本発明は以下の技術プランを採用する：本発明のライト装飾用水晶玉は、台座と支持柱とを含み、前記支持柱の上端には支持ブロックが設けられ、前記支持ブロックの中には伝動チャンバが設けられ、前記支持ブロックの右端の下側には細紐で繋ぎ合わせられた水晶玉が八連設けられ、前記伝動チャンバの中には前記水晶玉の移動や昇降を制御できる回転機構が設けられ、前記伝動チャンバの中には装置全体の作動に動力を提供する伝動機構が設けられ、前記回転機構は前記伝動チャンバの右端壁に固定された固定板を含み、前記固定板の中には下方に開口した環状チャンバが設けられ、前記環状チャンバの左右端壁にはいずれも固定ブロックが固定され、前記環状チャンバの中には従動ブロックも六個スライドできるように連結され、二個の前記従動ブロックの間が従動バネによって連結され、前記従動ブロックと前記固定ブロックとの間が伸縮バネによって連結され、前記伝動チャンバの下端壁の中には前記伝動チャンバの下端壁を貫通した弓形溝が二つ設けられ、前記従動ブロックの下端には下端が前記弓形溝を貫通した連結ロッドが設けられ、前記連結ロッドが外部空間に位置しており、前記支持ブロックの右端下端面にも二本の前記連結ロッドが固定され、前記連結ロッドの下端にはいずれも一端が前記細紐の一端と固定的に連結された連結ブロックが固定的に設けられ、前記支持ブロックの下側には八個の前記連結ブロックに支持されたランプシェードが設けられ、前記伝動チャンバの前後端壁の中にはいずれも前記伝動チャンバと連通した弓形チャンバが二つ設けられ、前記弓形チャンバの中にはスライド可能なスライド板と前記スライド板を復帰させることができるスライドバネとが設けられ、前記スライド板の一端にはチェーンが固定的に連結され、前記スライド板のもう一端にはロープが固定され、前記固定板の下端面には回転軸が固定され、前記回転軸には回転ロッドが二本回転できるように連結され、前記回転ロッドが回転するときに前記連結ロッドを移動させることができ、前記回転ロッドの一端の中には前記回転軸に貫通された回転溝が設けられ、前記回転溝の中には前記回転軸と回転できるように連結された従動ロッドが設けられ、前記従動ロッドの一端が回転する時に前記連結ロッドを移動させることができ、前記従動ロッドの一端と前記回転ロッドの一端との間には連結バネが固定され、同じ水平面に位置している二本の前記チェーンの一端がそれぞれ前記従動ロッドと前記回転ロッドと連結され、前記伝動チャンバの後端壁の中には前方に開口したスライド溝も設けられ、前記伝動チャンバの中には二個の伝動ブロックも設けられ、一個の前記伝動ブロックの左端には伝動ロッドが固定され、前記伝動機構はモーターと伝動軸とを含み、前記伝動軸が前記モーターと伝動できるように連結され、前記伝動軸の右端には伝動板がねじ山によって連結され、前記伝動板の中には下方に開口した貫通チャンバが設けられ、前記貫通チャンバの左右端壁が前記伝動チャンバに連通しており、前記貫通チャンバの前後端壁の中にはいずれも電磁チャンバが設けられ、前記電磁チャンバの中には一端が前記貫通チャンバの中に位置することができる挟みブロックが設けられ、前記挟みブロックの上端面には磁石ブロックが設けられ、前記電磁チャンバの中には前記挟みブロックに貫通された電磁板と磁石板とも設けられ、前記磁石板はスライド可能であり、前記電磁板が前記電磁チャンバの中に固定され、前記伝動チャンバの下端壁には前記貫通チャンバの中に位置した位置制限ブロックが固定され、前記位置制限ブロックの左右両側には移動板が二つ設けられ、前記移動板は前記挟みブロックに挟まれて移動連動されることができ、左側の前記移動板の左端面が下側の二本の前記ロープの一端と連結され、右側の前記移動板の右端面が上側の二本の前記ロープの一端と連結され、装置の作用は前記伝動機構の運動によってニーズに合わせて水晶玉を上方へ巻き上げることができ、あるいは前記回転ロッドと前記従動ロッドとを回転連動させることによって前記水晶玉を密に並ばせて一連の玉のれんを形成することである。
【０００６】
優選の技術プランとして、前記回転機構は前記伝動ブロックを貫通した貫通孔も含み、一個の前記伝動ブロックの後端は前記スライド溝の中でスライドすることができ、一個の前記伝動ブロックの後端が前記伝動チャンバの後端壁に固定され、全部の前記細紐の一端が前記伝動チャンバの下端壁と二つの前記貫通孔とを貫通しており、且つ前記伝動チャンバの上端壁と固定的に連結され、前記支持ブロックの右端には前記ランプシェードの中に位置した電球が設けられ、前記回転機構の作用は前記伝動機構の伝動により前記水晶玉を上方へ巻き上げ前記ランプシェードにくっつけ、あるいは前記回転ロッドと前記従動ロッドとの連動により前記水晶玉を密に並ばせて一連の玉のれんを形成することである。
【０００７】
優選の技術プランとして、前記伝動機構は前記伝動ロッドの左端に貫通された挟みチャンバも含み、前記磁石板の上端には一端が前記挟みチャンバの中に位置した挟みロッドが固定され、二本の前記挟みロッドは前記伝動ロッドをきつく挟むことができ、二つの前記移動板の間が移動バネによって連結され、前記伝動機構の作用は選択可能に前記伝動ロッド又は前記ロープを移動連動させることにより、前記回転機構の異なった運動を実現することである。
【発明の効果】
【０００８】
本装置は構造が簡単で、操作が便利であり、装置は水晶玉を巻き上げあるいは移動させ、異なる光と影の効果を生み出すことができ、使用者のニーズに合わせて随意に交換でき、水晶玉の機能を増やし、異なった雰囲気を醸し出すことができ、また使用者が当該装置を使用し読書するとき、水晶玉を収納することができ、影がでなく、読書に影響しない。
【図面の簡単な説明】
【０００９】
下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明のライト装飾用水晶玉の全体断面の正面構成略図
【図２】図２は本発明のライト装飾用水晶玉の固定板の全体断面の上面拡大構成略図
【図３】図３は本発明のライト装飾用水晶玉の下側の回転ロッドの全体断面の上面拡大構成略図
【図４】図４は本発明のライト装飾用水晶玉の上側の回転ロッドの全体断面の上面拡大構成略図
【図５】図５は本発明のライト装飾用水晶玉の伝動板の全体断面の左面拡大構成略図
【図６】図６は本発明のライト装飾用水晶玉の回転軸のところの全体断面の拡大構成略図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。
【００１２】
図１〜６を参照し、本発明のライト装飾用水晶玉は、台座１と支持柱２とを含み、前記支持柱２の上端には支持ブロック８が設けられ、前記支持ブロック８の中には伝動チャンバ７が設けられ、前記支持ブロック８の右端の下側には細紐２７で繋ぎ合わせられた水晶玉２６が八連設けられ、前記伝動チャンバ７の中には前記水晶玉２６の移動や昇降を制御できる回転機構４６が設けられ、前記伝動チャンバ７の中には装置全体の作動に動力を提供する伝動機構４７が設けられ、前記回転機構４６は前記伝動チャンバ７の右端壁に固定された固定板２１を含み、前記固定板２１の中には下方に開口した環状チャンバ１８が設けられ、前記環状チャンバ１８の左右端壁にはいずれも固定ブロック１９が固定され、前記環状チャンバ１８の中には従動ブロック２９も六個スライドできるように連結され、二個の前記従動ブロック２９の間が従動バネ３０によって連結され、前記従動ブロック２９と前記固定ブロック１９との間が伸縮バネ２８によって連結され、前記伝動チャンバ７の下端壁の中には前記伝動チャンバ７の下端壁を貫通した弓形溝３８が二つ設けられ、前記従動ブロック２９の下端には下端が前記弓形溝３８を貫通した連結ロッド２３が設けられ、前記連結ロッド２３が外部空間に位置しており、前記支持ブロック８の右端下端面にも二本の前記連結ロッド２３が固定され、前記連結ロッド２３の下端にはいずれも一端が前記細紐２７の一端と固定的に連結された連結ブロック２４が固定的に設けられ、前記支持ブロック８の下側には八個の前記連結ブロック２４に支持されたランプシェード２５が設けられ、前記伝動チャンバ７の前後端壁の中にはいずれも前記伝動チャンバ７と連通した弓形チャンバ３５が二つ設けられ、前記弓形チャンバ３５の中にはスライド可能なスライド板３４と前記スライド板３４を復帰させることができるスライドバネ３６とが設けられ、前記スライド板３４の一端にはチェーン３３が固定的に連結され、前記スライド板３４のもう一端にはロープ４が固定され、前記固定板２１の下端面には回転軸３９が固定され、前記回転軸３９には回転ロッド３７が二本回転できるように連結され、前記回転ロッド３７が回転するときに前記連結ロッド２３を移動させることができ、前記回転ロッド３７の一端の中には前記回転軸３９に貫通された回転溝４０が設けられ、前記回転溝４０の中には前記回転軸３９と回転できるように連結された従動ロッド３２が設けられ、前記従動ロッド３２の一端が回転する時に前記連結ロッド２３を移動させることができ、前記従動ロッド３２の一端と前記回転ロッド３７の一端との間には連結バネ３１が固定され、同じ水平面に位置している二本の前記チェーン３３の一端がそれぞれ前記従動ロッド３２と前記回転ロッド３７と連結され、前記伝動チャンバ７の後端壁の中には前方に開口したスライド溝１７も設けられ、前記伝動チャンバ７の中には二個の伝動ブロック１６も設けられ、一個の前記伝動ブロック１６の左端には伝動ロッド１３が固定され、前記伝動機構４７はモーター６と伝動軸５とを含み、前記伝動軸５が前記モーター６と伝動できるように連結され、前記伝動軸５の右端には伝動板１０がねじ山によって連結され、前記伝動板１０の中には下方に開口した貫通チャンバ９が設けられ、前記貫通チャンバ９の左右端壁が前記伝動チャンバ７に連通しており、前記貫通チャンバ９の前後端壁の中にはいずれも電磁チャンバ４５が設けられ、前記電磁チャンバ４５の中には一端が前記貫通チャンバ９の中に位置することができる挟みブロック４１が設けられ、前記挟みブロック４１の上端面には磁石ブロック４２が設けられ、前記電磁チャンバ４５の中には前記挟みブロック４１に貫通された電磁板４４と磁石板４３とも設けられ、前記磁石板４３はスライド可能であり、前記電磁板４４が前記電磁チャンバ４５の中に固定され、前記伝動チャンバ７の下端壁には前記貫通チャンバ９の中に位置した位置制限ブロック２０が固定され、前記位置制限ブロック２０の左右両側には移動板３が二つ設けられ、前記移動板３は前記挟みブロック４１に挟まれて移動連動されることができ、左側の前記移動板３の左端面が下側の二本の前記ロープ４の一端と連結され、右側の前記移動板３の右端面が上側の二本の前記ロープ４の一端と連結され、装置の作用は前記伝動機構４７の運動によってニーズに合わせて水晶玉２６を上方へ巻き上げることができ、あるいは前記回転ロッド３７と前記従動ロッド３２とを回転連動させることによって前記水晶玉２６を密に並ばせて一連の玉のれんを形成することである。
【００１３】
有益に、前記回転機構４６は前記伝動ブロック１６を貫通した貫通孔１５も含み、一個の前記伝動ブロック１６の後端は前記スライド溝１７の中でスライドすることができ、一個の前記伝動ブロック１６の後端が前記伝動チャンバ７の後端壁に固定され、全部の前記細紐２７の一端が前記伝動チャンバ７の下端壁と二つの前記貫通孔１５とを貫通しており、且つ前記伝動チャンバ７の上端壁と固定的に連結され、前記支持ブロック８の右端には前記ランプシェード２５の中に位置した電球２２が設けられ、前記回転機構４６の作用は前記伝動機構４７の伝動により前記水晶玉２６を上方へ巻き上げ前記ランプシェード２５にくっつけ、あるいは前記回転ロッド３７と前記従動ロッド３２との連動により前記水晶玉２６を密に並ばせて一連の玉のれんを形成することである。
【００１４】
有益に、前記伝動機構４７は前記伝動ロッド１３の左端に貫通された挟みチャンバ１２も含み、前記磁石板４３の上端には一端が前記挟みチャンバ１２の中に位置した挟みロッド１１が固定され、二本の前記挟みロッド１１は前記伝動ロッド１３をきつく挟むことができ、二つの前記移動板３の間が移動バネ４８によって連結され、前記伝動機構４７の作用は選択可能に前記伝動ロッド１３又は前記ロープ４を移動連動させることにより、前記回転機構４６の異なった運動を実現することである。
【００１５】
以下、図１〜６と上記に説明した本出願のライト装飾用水晶玉の具体的な構成とを参照し、本発明のライト装飾用水晶玉の使用方法を詳しく説明する：
【００１６】
水晶玉２６がランプシェード２５の下側に引っ掛かってライトに影響する必要がないとき、電磁板４４が作動することにより電磁板４４と磁石板４３とが反発しあい、電磁板４４と磁石板４２とが反発し合うことにより挟みロッド１１に伝動ロッド１３をきつく挟ませ、挟みブロック４１が移動板３を放し、モーター６が作動し伝動軸５を回転連動させ、これによって伝動板１０が伝動ロッド１３を左方へ運動連動させ、これによって上側の伝動ブロック１６を左方へ運動させ、これによって細紐２７を引き動かし、これによって細紐２７の一端が上方へ運動し、最終的に水晶玉２６を上方へ巻き上げてランプシェード２５にくっつけ、ランプシェードに影響させない。
【００１７】
片方向で左方や右方に照射するとき、電磁石４４が作動することにより電磁石４４と磁石板４３とが吸引しあい、電磁板４４と磁石板４２とが吸引しあい、これによって挟みロッド１１が伝動ロッド１３を放し、挟みブロック４１が二つの移動板３をきつく挟み、伝動板１０が右方へ運動すれば、左側の移動板３が位置制限ブロック２０に制限され、右側の移動板３が伝動板１０に連動されて右方へ運動し、これによって右側のロープ４を運動させ、これによって上側の弓形チャンバ３５の中のスライド板３４を移動させ、上側のスライドバネ３６が圧縮され、スライド板３４がチェーン３３の伝動により回転ロッド３７と従動ロッド３２とを回転連動させ、これによって回転ロッド３７と従動ロッド３２とが一部分の連結ロッド２３を移動連動させ、これによって一部分の水晶玉２６を移動させ、水晶玉２６が右側で一連に並んで玉のれんを形成し、伝動板１０が左方へ運動すれば、伝動により下側の弓形溝３８の中のスライド板３４が移動し、水晶玉２６を移動させ、水晶玉２６が左側で一連に並んで玉のれんを形成し、装置を復帰させるとき、モーター６が作動して伝動軸５を制御することにより伝動板１０を連動させて復帰させ、これによって装置が装置内の全部のバネの作用により復帰する。
【００１８】
本発明の有益効果は：本装置は構造が簡単で、操作が便利であり、装置は水晶玉を巻き上げあるいは移動させ、異なる光と影の効果を生み出すことができ、使用者のニーズに合わせて随意に交換でき、水晶玉の機能を増やし、異なった雰囲気を醸し出すことができ、また使用者が当該装置を使用し読書するとき、水晶玉を収納することができ、影がでなく、読書に影響しない。
【００１９】
以上に述べたのはただ本発明の具体的な実施方式で、本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020184509.tif 000003
【図２】
2020184509.tif 000004
【図３】
2020184509.tif 000005
【図４】
2020184509.tif 000006
【図５】
2020184509.tif 000007
【図６】
2020184509.tif 000008